(57)【要約】  機器管理システム（１）は、換気装置（２１）と、空気清浄装置（２２）と、制御端末（３）と、人検知部（３４）とを備える。換気装置（２１）は、室内空間の空気を室外空間に搬送する。空気清浄装置（２２）は、室内空間の空気を給気して、空気を清浄し、空気を室内空間に排気する。人検知部（３４）は、室内空間における人の存在情報を検知する。制御端末（３）は、条件取得部（３１）と、動作条件決定部（３２）と、制御部（３３）とを備える。条件取得部（３１）は、人検知部（３４）から人の存在情報を取得する。動作条件決定部（３２）は、存在情報に基づいて換気装置（２１）および空気清浄装置（２２）の動作条件を決定する。制御部（３３）は、決定された動作条件で換気装置（２１）および空気清浄装置（２２）を制御する。
2017179362.tif 000002
【特許請求の範囲】
【請求項１】
室内空間の空気環境を制御する複数の室内環境制御装置と、当該複数の室内環境制御装置の各々と情報の送受信可能に接続された制御端末とを備えた機器管理システムであって、
前記室内空間における人の存在情報を検知する人検知部を備え、
前記複数の室内環境制御装置のうちの１つの室内環境制御装置は、
前記室内空間の空気を室外空間に搬送する換気装置であり、
前記複数の室内環境制御装置のうちの別の１つの室内環境制御装置は、
前記室内空間の空気を給気して、前記空気を清浄し、前記空気を前記室内空間に排気する空気清浄装置であり、
前記制御端末は、
前記人検知部から人の存在情報を取得する条件取得部と、
前記存在情報に基づいて前記換気装置および前記空気清浄装置の動作条件を決定する動作条件決定部と、
前記動作条件で前記換気装置および前記空気清浄装置を制御する制御部と、を備えた機器管理システム。
【請求項２】
前記室内空間の埃量を検知する埃センサを備え、
前記動作条件決定部が、前記存在情報に基づいて人が前記室内空間に存在していると判定した場合、
前記条件取得部は、
前記埃センサから埃量を取得し、
前記動作条件決定部は、
前記埃量と所定の第一埃量閾値とに基づいて前記換気装置および前記空気清浄装置の動作条件を決定する請求項１に記載の機器管理システム。
【請求項３】
前記動作条件決定部は、
前記埃量が前記所定の第一埃量閾値以上の場合には、前記動作条件として、前記換気装置を動作するとともに前記空気清浄装置を停止することを決定し、
前記埃量が前記所定の第一埃量閾値未満の場合には、前記動作条件として、前記換気装置を停止するとともに前記空気清浄装置を動作することを決定する請求項２に記載の機器管理システム。
【請求項４】
前記動作条件決定部は、
前記埃量が前記所定の第一埃量閾値よりも大きい所定の第二埃量閾値以上の場合には、前記動作条件として、前記換気装置を動作するとともに前記空気清浄装置を動作することを決定する請求項２に記載の機器管理システム。
【請求項５】
前記動作条件決定部は、
前記埃量が、前記所定の第一埃量閾値以上、かつ、前記所定の第一埃量閾値よりも大きい所定の第二埃量閾値未満の場合、
所定の期間における前記埃量の変動を測定し、
前記変動が所定の変動閾値よりも小さい場合には、前記動作条件として、前記換気装置を動作するとともに前記空気清浄装置を動作することを決定する請求項２に記載の機器管理システム。
【請求項６】
前記複数の室内環境制御装置のうちのさらに別の１つの室内環境制御装置は、
前記室内空間と前記室外空間とを連通する連通風路と、前記連通風路を開閉可能な開閉部と、を有する換気シャッターであり、
前記動作条件決定部は、
前記連通風路が開状態である場合、
所定の期間における前記埃量の変動を測定し、
前記変動が増加である場合には、前記換気シャッターの動作条件として、前記開閉部を閉じることを決定し、
前記制御部は、
前記換気シャッターの動作条件で前記換気シャッターを制御する請求項２に記載の機器管理システム。
【請求項７】
前記室内空間のにおい量を検知するにおいセンサを備え、
前記動作条件決定部が、前記存在情報に基づいて人が前記室内空間に存在していると判定した場合、
前記条件取得部は、
前記においセンサからにおい量を取得し、
前記動作条件決定部は、
前記におい量と所定の第一におい量閾値とに基づいて前記換気装置および前記空気清浄装置の動作条件を決定する請求項１に記載の機器管理システム。
【請求項８】
前記動作条件決定部は、
前記におい量が前記所定の第一におい量閾値以上の場合には、前記動作条件として、前記換気装置を動作するとともに前記空気清浄装置を停止することを決定し、
前記におい量が前記所定の第一におい量閾値未満の場合には、前記動作条件として、前記換気装置を停止するとともに前記空気清浄装置を動作することを決定する請求項７に記載の機器管理システム。
【請求項９】
前記動作条件決定部は、
前記におい量が前記所定の第一におい量閾値よりも大きい所定の第二におい量閾値以上の場合には、前記動作条件として、前記換気装置を動作するとともに前記空気清浄装置を動作することを決定する請求項７に記載の機器管理システム。
【請求項１０】
前記動作条件決定部は、
前記におい量が、前記所定の第一におい量閾値以上、かつ、前記所定の第一におい量閾値よりも大きい所定の第二におい量閾値未満の場合、
所定の期間における前記におい量の変動を測定し、
前記変動が所定の変動閾値よりも小さい場合には、前記動作条件として、前記換気装置を動作するとともに前記空気清浄装置を動作することを決定する請求項７に記載の機器管理システム。
【請求項１１】
前記複数の室内環境制御装置のうちのさらに別の１つの室内環境制御装置は、
前記室内空間と前記室外空間とを連通する連通風路と、前記連通風路を開閉可能な開閉部と、を有する換気シャッターであり、
前記動作条件決定部は、
前記連通風路が開状態である場合、
所定の期間における前記におい量の変動を測定し、
前記変動が増加である場合には、前記換気シャッターの動作条件として、前記開閉部を閉じることを決定し、
前記制御部は、
前記換気シャッターの動作条件で前記換気シャッターを制御する請求項７に記載の機器管理システム。
【請求項１２】
前記動作条件決定部が、前記存在情報に基づいて人が前記室内空間に存在していないと判定した場合、
前記条件取得部は、
人が前記室内空間に存在すると予想される帰宅時間を取得し、
前記動作条件決定部は、
前記帰宅時間と現在の時間とに基づいて前記換気装置および前記空気清浄装置の動作条件を決定する請求項１に記載の機器管理システム。
【請求項１３】
前記制御端末は、
公衆回線を介して、当該公衆回線に接続された移動通信機と通信可能な外部通信部を備え、
前記動作条件決定部が、前記存在情報に基づいて人が前記室内空間に存在していないと判定した場合、
前記条件取得部は、
前記外部通信部を介して前記移動通信機から当該移動通信機の現在地情報を取得し、
前記動作条件決定部は、
前記制御端末の位置情報と前記現在地情報とに基づいて前記移動通信機が前記制御端末の位置に到達する帰宅時間を算出し、
前記帰宅時間と現在の時間に基づいて前記換気装置および前記空気清浄装置の動作条件を決定する請求項１に記載の機器管理システム。
【請求項１４】
前記移動通信機は、
携帯電話、カーナビゲーション装置又はＧＳＰ発信機である請求項１３に記載の機器管理システム。
【請求項１５】
前記換気装置は、
前記室内空間の空気を吸込み、前記空気を前記室外空間に排気する排気ファンと、
前記排気ファンを覆うフード部と、
前記室内空間と前記室外空間とを連通する室外吐出口と、
前記フード部の下方に向けて開口している室内吸込口と、を備えた請求項１に記載の機器管理システム。
【請求項１６】
前記換気装置は、
調理時に発生する煙を前記室内吸込口から吸込み、前記煙を前記室外吐出口を介して前記室外空間に排出するレンジフード装置であり、
前記排気ファンは、
２００ｍ３／ｈ以上の排気能力を有する請求項１５に記載の機器管理システム。
【請求項１７】
前記制御端末は、
Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ方式を用いた無線通信で前記複数の室内環境制御装置の各々と情報の送受信を行う請求項１に記載の機器管理システム。
【発明の詳細な説明】
【技術分野】
【０００１】
本発明は、機器管理システムに関する。
【背景技術】
【０００２】
従来、室内に設置された送風装置及び集塵装置を備える管理システムが知られている。送風装置及び集塵装置が互いに連携制御することによって、管理システムは室内空間の環境をより快適にできる。【０００３】
例えば、送風装置は、風向及び風量を変化させ、室内空間に気流を発生させる。集塵装置は、この気流に乗って移動する塵埃などを回収すると共に、空気を室内空間に排気することによって、室内空間に気流を発生させる。送風装置および集塵装置がこのように互いに連携制御することにより、室内空間の空気を清浄する技術が知られている（特許文献１参照）。
【先行技術文献】
【特許文献】
【０００４】
【特許文献１】特開２０１１−１９６５９３号公報
【発明の概要】
【０００５】
しかしながら、特許文献１に記載された管理システムは、集塵装置のみで室内空間の空気を清浄する。すなわち、上記の管理システムは、集塵装置のみで空気環境を調整する。しかし、さらに様々な状況に対応してより素早くかつ効率的に空気環境を調整できるシステムが望まれている。
【０００６】
本発明は、室内空間の空気を室外空間に搬送する換気装置を含む複数の室内環境制御装置を制御することで、室内空間の空気環境を整える機器管理システムを提供することを目的とする。
【０００７】
上記目的を達成するために、本発明の一態様に係る機器管理システムは、室内空間の空気環境を制御する複数の室内環境制御装置と、複数の室内環境制御装置の各々と情報の送受信可能に接続された制御端末とを備えた機器管理システムであって、室内空間における人の存在情報を検知する人検知部を備える。複数の室内環境制御装置のうちの１つの室内環境制御装置は、室内空間の空気を室外空間に搬送する換気装置である。複数の室内環境制御装置のうちの別の１つの室内環境制御装置は、室内空間の空気を給気して、空気を清浄し、空気を室内空間に排気する空気清浄装置である。制御端末は、条件取得部と、動作条件決定部と、制御部とを備える。条件取得部は、人検知部から人の存在情報を取得する。動作条件決定部は、存在情報に基づいて換気装置および空気清浄装置の動作条件を決定する。制御部は、決定された動作条件で換気装置および空気清浄装置を制御する。
【０００８】
本発明に係る機器管理システムは、室内空間の空気を室外空間に搬送する換気装置を含む複数の室内環境制御装置を制御することで、室内空間の空気環境を整えることができる。
【図面の簡単な説明】
【０００９】
【図１】図１は、実施の形態における機器管理システムのブロック図である。
【図２】図２は、実施の形態における機器管理システムが設置されている室内空間の一例の概略図である。
【図３】図３は、実施の形態におけるフード付換気装置の一例の概略図である。
【図４】図４は、実施の形態における動作条件決定部の動作の一例を示すフローチャートである。
【図５Ａ】図５Ａは、実施の形態の動作条件決定における埃量の経時変化と動作条件の関係を示す概略図である。
【図５Ｂ】図５Ｂは、実施の形態の動作条件決定における埃量の経時変化と動作条件の関係を示す概略図である。
【図５Ｃ】図５Ｃは、実施の形態の動作条件決定における埃量の経時変化と動作条件の関係を示す概略図である。
【図６】図６は、実施の形態における動作条件決定部の動作の一例を示すフローチャートである。
【図７Ａ】図７Ａは、実施の形態の動作条件決定におけるにおい量の経時変化と動作条件の関係を示す概略図である。
【図７Ｂ】図７Ｂは、実施の形態の動作条件決定におけるにおい量の経時変化と動作条件の関係を示す概略図である。
【図７Ｃ】図７Ｃは、実施の形態の動作条件決定におけるにおい量の経時変化と動作条件の関係を示す概略図である。
【図８】図８は、変形例１における機器管理システムのブロック図である。
【図９Ａ】図９Ａは、変形例１における開状態の換気シャッターの断面概略図である。
【図９Ｂ】図９Ｂは、変形例１における閉状態の換気シャッターの断面概略図である。
【図１０】図１０は、変形例１における動作条件決定における埃量の経時変化と動作条件の関係を示す概略図である。
【図１１】図１１は、変形例１における動作条件決定におけるにおい量の経時変化と動作条件の関係を示す概略図である。
【図１２】図１２は、変形例２における動作条件決定部の動作の一例を示すフローチャートである。
【図１３】図１３は、変形例３における機器管理システムのブロック図である。
【図１４】図１４は、変形例３における動作条件決定部の動作の一例を示すフローチャートである。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図において、実質的に同一の構成に対しては同一の符号を付しており、重複する説明は省略又は簡略化する。
【００１２】
（実施の形態）
まず、本発明の実施の形態に係る機器管理システム１の構成について、図１〜図３を用いて説明する。
【００１３】
［機器管理システムの基本構成］
本実施の形態に係る機器管理システム１は、複数の室内環境制御装置２と、制御端末３とを備えている。
【００１４】
複数の室内環境制御装置２は、室内空間６の空気環境を制御する。また、複数の室内環境制御装置２のうちの少なくとも１つの室内環境制御装置は、室内空間６の空気を室外空間７に搬送する換気装置としてのフード付換気装置２１である。また、複数の室内環境制御装置２のうちの別の少なくとも１つの室内環境制御装置は、室内空間６の空気の清浄を行う空気清浄装置２２である。ここで室内空間６とは、リビングやダイニング、部屋（個室）など、壁、床、及び屋根に囲まれた空間を意味する。すなわち、室内空間６を屋内と言い換えることもできる。通気可能な窓や換気の為のダクトなどが備えられた壁に囲まれた空間も室内空間６に該当する。また室外空間７とは、室内空間６に対して床や壁、屋根のうち少なくとも１つが欠けた空間を意味する。すなわち、室外空間７を屋外と言い換えることもできる。
【００１５】
制御端末３は、複数の室内環境制御装置２の各々と情報の送受信可能に接続されている。
【００１６】
以下、機器管理システム１の各構成要素について説明する。
【００１７】
［フード付換気装置］
換気装置の一態様であるフード付換気装置２１は、排気ファン２１０と、フード部２１１と、室外吐出口２１２と、室内吸込口２１３とを備えている。排気ファン２１０は、室内空間６の空気を吸込み、吸込んだ空気を室外空間７に排気する。フード部２１１は、排気ファン２１０を覆っている。室外吐出口２１２は、室内空間６と室外空間７とを連通している。室内吸込口２１３は、フード部２１１の下方等の空気を吸込むために、フード部２１１の下方に向けて開口している。
【００１８】
排気ファン２１０は、例えば、モーターの回転軸に保持された羽根車から構成されている。モーターに通電することによってモーターの回転軸が回転する。そして、モーターの回転軸を介して羽根車が回転することによって、排気ファン２１０は室内吸込口２１３から室外吐出口２１２に流れる気流を生じさせる。
【００１９】
フード部２１１と室外吐出口２１２とは、例えば、排気管２１４によって接続されている。なお、フード部２１１は、直接、室外吐出口２１２と接続されていてもよい。
【００２０】
また、フード付換気装置２１は、調理時に発生する煙を室内吸込口２１３から吸込み、吸込んだ煙を室外吐出口２１２を介して室外空間７に排出するレンジフード装置であることが好ましい。
【００２１】
フード付換気装置２１がレンジフード装置である場合、台所の調理台１０に設けられたコンロ等の上部に室内吸込口２１３が配置される。このような構成により、フード付換気装置２１は、調理時に用いられる排気装置としても機能する。また、レンジフード装置としてのフード付換気装置２１は、図２に示すように、居住者が多くの時間を過ごすことが多いリビングダイニングの室内空間６に設置される事が多い。そのため、フード付換気装置２１は、居住者に対してより効率的に室内空間６の空気環境を整えることができる。また、マンション等の集合住宅において、レンジフード装置は、建設時に設計された位置に備え付けの設備として設置されることが多い。そのため、機器管理システム１は、レンジフード装置としてのフード付換気装置２１を管理しやすい。
【００２２】
また、フード付換気装置２１の排気ファン２１０は、２００ｍ３／ｈ以上の排気能力を有することが好ましい。このような構成により、フード付換気装置２１は、十分に大きな排気能力を持つため、短時間により多くの空気を排気することができる。
【００２３】
また、フード付換気装置２１は、排気ファン２１０による排気量を多段階に設定することによって、送風量を制御できることが好ましい。このような構成により、フード付換気装置２１は、室内空間６と室外空間７との間における換気量を適切に制御することができる。
【００２４】
また、フード付換気装置２１は、排気シャッター２１５を備えていてもよい。排気シャッター２１５は、室内空間６から室外空間７に空気を搬送するための搬送路を閉じることができる。フード付換気装置２１の運転が停止している場合に、排気シャッター２１５が閉じていることによって、室内空間６の気密性が向上する。
【００２５】
［空気清浄装置］
複数の室内環境制御装置２のうちの少なくとも１つの室内環境制御装置は、室内空間６の空気を給気して、給気した空気を清浄し、清浄した空気を室内空間６に排気する空気清浄装置２２である。
【００２６】
空気清浄装置２２は、例えば、室内空間６の床面に設置されるものでもよいし、室内空間６の壁面に設置されるものでもよいし、室内空間６の天井に埋設されるものでもよい。空気清浄装置２２は、室内空間６の空気を清浄するために集塵や脱臭を行う。
【００２７】
機器管理システム１が空気清浄装置２２を備えることにより、室内空間６内の塵埃やにおいを除去することが可能となる。すなわち、室内空間６の空気をより効率よく清浄し、空気環境を調整することが可能となる。
【００２８】
［人検知部］
機器管理システム１は、さらに人検知部３４を備える。
【００２９】
人検知部３４は、室内空間６における人の存在情報を検知し、人の存在情報を条件取得部３１へ送信する。人検知部３４は、例えば、焦電型赤外線センサ、サーモパイル、およびカメラの少なくとも一つを備え、人の存在情報を検知する。
【００３０】
なお人検知部３４として、フード付換気装置２１や空気清浄装置２２等の複数の室内環境制御装置２が備えるセンサを代用してもよい。
【００３１】
［埃センサ］
機器管理システム１は、さらに室内空間６の埃量を検知する埃センサ４を備えていてもよい。
【００３２】
埃センサ４は、電気的に埃量情報を取得する。取得された埃量情報は、制御端末３の条件取得部３１（詳細は後述）に送信される。埃センサ４は、例えば、ハウスダスト、花粉、たばこの煙、ＰＭ２．５などの微粒子を測定し、埃の存在の判定や埃量の測定を行う。
【００３３】
埃センサ４が室内空間６内に浮遊する埃量を検知することによって、制御端末３は複数の室内環境制御装置２をより効率的に制御することができる。
【００３４】
なお埃センサ４として、フード付換気装置２１や空気清浄装置２２等の複数の室内環境制御装置２が備えるセンサを代用してもよい。制御端末３の条件取得部３１は、内部ネットワーク８を介して、埃センサ４から埃量を取得する。
【００３５】
［においセンサ］
機器管理システム１は、さらに室内空間６のにおい量を検知するにおいセンサ５を備えていてもよい。
【００３６】
においセンサ５は、電気的に、におい量情報を取得する。取得されたにおい量情報は、制御端末３の条件取得部３１に送信される。においセンサ５は、例えば、金属酸化物半導体を備え、におい量の測定を行う。
【００３７】
においセンサ５が室内空間６のにおい量を検知することによって、制御端末３は複数の室内環境制御装置２をより効率的に制御することができる。
【００３８】
なお、においセンサ５として、フード付換気装置２１や空気清浄装置２２等の複数の室内環境制御装置２が備えるセンサを代用してもよい。
【００３９】
［制御端末］
制御端末３は、条件取得部３１と動作条件決定部３２と制御部３３とを備えている。
【００４０】
条件取得部３１は、複数の室内環境制御装置２の動作条件に関連する情報を取得する。動作条件に関連する情報としては、例えば、室内空間６における人の存在情報、室内空間６の埃量、室内空間６のにおい量、複数の室内環境制御装置２の個数や種類等が挙げられる。条件取得部３１は、これらの動作条件に関連する情報の少なくとも１つを取得する。
【００４１】
条件取得部３１は、室内空間６における人の存在情報として、人検知部３４から人の存在情報を取得する。
【００４２】
条件取得部３１は、例えば、内部ネットワーク８を介して埃センサ４およびにおいセンサ５と接続している。条件取得部３１は、室内空間６の埃量として埃センサ４から埃量を取得し、室内空間６のにおい量としてにおいセンサ５からにおい量を取得する。
【００４３】
ここで内部ネットワーク８とは、室内空間６に配置され、各通信端末を接続するネットワークを指す。内部ネットワーク８は、各通信端末を管理する。これに対して、外部ネットワークとは、室外空間７に位置する通信端末を接続するネットワークを指す。外部ネットワークとして、具体的にはインターネットやインターネットを含む公衆回線等が挙げられる。
【００４４】
条件取得部３１は、複数の室内環境制御装置２の個数や種類として、例えば、制御端末３に設けられた入力装置に入力された複数の室内環境制御装置２の個数や種類を取得する。また、例えば、条件取得部３１は、内部ネットワーク８を介して表示パネル（図示せず）と接続し、表示パネルに入力された複数の室内環境制御装置２の個数や種類を取得してもよい。また、例えば、条件取得部３１は、無線通信等を介してタブレット端末や携帯電話端末と接続し、タブレット端末や携帯電話端末に入力された複数の室内環境制御装置２の個数や種類を取得してもよい。
【００４５】
動作条件決定部３２は、条件取得部３１が取得した情報に基づいて複数の室内環境制御装置２の各々の動作条件を決定する。動作条件を決定する方法の詳細については後述する。
【００４６】
制御部３３は、動作条件決定部３２が決定した動作条件で複数の室内環境制御装置２を制御する。制御部３３は、内部ネットワーク８を介して複数の室内環境制御装置２と情報の送受信可能に接続されている。制御部３３は、内部ネットワーク８を介して複数の室内環境制御装置２と通信することで、複数の室内環境制御装置２を制御する。
【００４７】
制御端末３は、例えば、Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（以下ＤＥＣＴと称する）方式を用いた無線通信で複数の室内環境制御装置２の各々と情報の送受信を行っても良い。電磁波ノイズからの影響を受けにくいＤＥＣＴを用いることにより、電子レンジや電磁調理器などの電磁波ノイズを発生させる機器の近くでも、無線による接続が可能となる。また、ＤＥＣＴを用いることにより、例えば一戸建て住宅等において比較的距離の長い内部ネットワーク８による無線接続が必要な環境でも、無線による安定した接続が可能となる。
【００４８】
［動作条件決定部における動作条件の決定］
動作条件決定部３２は、条件取得部３１が取得した情報に基づいて複数の室内環境制御装置２の動作条件を決定する。動作条件決定部３２の動作条件決定における具体的な動作をさらに図４〜図７Ｃを用いて説明する。
【００４９】
（埃センサからの情報による動作条件の決定）
図４は、動作条件決定部３２が埃センサ４から室内空間６の埃量を取得する場合の動作条件決定についてのフローチャートの一例である。
【００５０】
動作条件決定部３２は、条件取得部３１に格納されている複数の室内環境制御装置２に関するデータを参照する（ステップＳ１１）。ここで複数の室内環境制御装置２に関するデータとは、例えば、複数の室内環境制御装置２として内部ネットワーク８に接続されている各装置の種類、各装置に対する制御、各装置の最大出力、各装置の出力、出力時の消費電力などである。各装置に対する制御とは、例えば、装置のオンオフ、装置の出力量の調整などである。
【００５１】
本実施の形態においては、複数の室内環境制御装置２として、フード付換気装置２１と空気清浄装置２２とが内部ネットワーク８に接続されている。また、本実施の形態においては、フード付換気装置２１は、送風量を調整することができる。ここで送風量とは、単位時間当たりの送風量を示す。
【００５２】
動作条件決定部３２は、条件取得部３１が人検知部３４から取得した人の存在情報を取得する（ステップＳ１２）。
【００５３】
次に、動作条件決定部３２は、条件取得部３１が人検知部３４から取得した人の存在情報に基づいて、人が室内空間６に存在しているか否かを判定する（ステップＳ１３）。人が存在する場合は、ステップＳ１４へ進む。人が存在しない場合は、ステップＳ１２に戻る。
【００５４】
次に、動作条件決定部３２は、条件取得部３１が埃センサ４から取得した埃量を取得する（ステップＳ１４）。
【００５５】
次に、動作条件決定部３２は、フード付換気装置２１の送風量を決定する必要があるかどうかを決める（ステップＳ１５）。フード付換気装置２１の送風量を決定する必要がある場合は、ステップＳ１６に進む。フード付換気装置２１の送風量を決定する必要がない場合は、ステップＳ１７に進む。ここで、フード付換気装置２１の送風量を決定する必要がない場合とは、例えば、フード付換気装置２１はオンオフの制御のみが可能で送風量を調整することができないことがステップＳ１１で判明した場合などである。
【００５６】
動作条件決定部３２は、埃量に基づいて、フード付換気装置２１の送風量を決定する（ステップＳ１６）。
【００５７】
次に、動作条件決定部３２は、埃量に基づいて、フード付換気装置２１および空気清浄装置２２の動作条件を決定する（ステップＳ１７）。なお、動作条件の決定手順については後述する。
【００５８】
次に、動作条件決定部３２は、ステップＳ１６及びステップ１７で決定された動作条件を制御部３３に出力する（ステップＳ１８）。制御部３３は、動作条件決定部３２が決定した動作条件で、フード付換気装置２１および空気清浄装置２２を制御する。
【００５９】
以上のように、まず、動作条件決定部３２は、条件取得部３１が人検知部３４から取得した人の存在情報に基づいて、人が室内空間６に存在しているか否かを判定する。動作条件決定部３２が人が室内空間６に存在していないと判定した場合には、動作条件決定部３２は特にエネルギーを利用してまで塵埃を除去する必要は無いと判断する。他方、動作条件決定部３２が人が室内空間６に存在していると判定した場合には、動作条件決定部３２は積極的に塵埃の除去を行うと判断する。すなわち、動作条件決定部３２は、人の存在情報に基づいてフード付換気装置２１および空気清浄装置２２の動作条件を決定する。
【００６０】
続いて、動作条件決定部３２がフード付換気装置２１および空気清浄装置２２の動作条件を決定する手順について具体的に説明する。
【００６１】
例えば、図５Ａに、フード付換気装置２１と空気清浄装置２２とがともに停止している（ＯＦＦ）時間ｔ０における動作条件決定部３２の動作を示す。
【００６２】
時間ｔ０において、埃量が所定の埃量閾値Ａ（第一埃量閾値）以上の場合には、動作条件決定部３２は、動作条件として、フード付換気装置２１のみを動作し（ＯＮ）、空気清浄装置２２を停止する（ＯＦＦ）ことを決定する。
【００６３】
これにより、フード付換気装置２１は、室内空間６内の塵埃を含んだ空気を室外空間７に排出する。通常、室内空間６から室外空間７に空気が排出されると、例えば窓や扉の隙間から、室外空間７の空気が室内空間６に流入する。この際、室外空間７の空気に含まれる塵埃も室内空間６に流入してしまう。よって、フード付換気装置２１による塵埃の排除には限界がある。
【００６４】
そこで、次に時間ｔ１において、フード付換気装置２１による埃の排出により埃量が所定の埃量閾値Ａ未満になると、動作条件決定部３２は、動作条件として、フード付換気装置２１を停止し、空気清浄装置２２のみを動作することを決定する。
【００６５】
空気清浄装置２２は、フィルターを備えているため、空気中の多くの塵埃を収集できる。このため、フード付換気装置２１の停止により室外空間７の空気の流入が抑制され、空気清浄装置２２の動作により室内空間６内の塵埃が収集される。これによって、室内空間６の埃量が減少する。
【００６６】
上述の決定を、埃量を基準として再度説明する。例えば、フード付換気装置２１は、時間ｔ０において動作している。フード付換気装置２１は、室内空間６内の埃を室外空間７へ排出することで埃量を減少させる。フード付換気装置２１は、埃量が埃量閾値Ａ未満となる時間ｔ１以降において停止する。空気清浄装置２２は、例えば、埃量が埃量閾値Ａ未満となる時間ｔ１以降において動作し、室内空間６の塵埃を収集し、空気を清浄する。
【００６７】
また、例えば、図５Ｂに示すように、フード付換気装置２１と空気清浄装置２２とがともに停止している時間ｔ０における埃量が所定の埃量閾値Ｂ（第二埃量閾値）以上の場合には、動作条件決定部３２は、動作条件として、フード付換気装置２１を動作し、空気清浄装置２２も動作することを決定する。なお、埃量閾値Ｂは埃量閾値Ａよりも大きい値である。
【００６８】
埃量が埃量閾値Ｂ以上の場合とは、室内空間６に大量の塵埃が存在する場合を意味する。このような場合には、動作条件決定部３２は、室内空間６の塵埃をできるだけ早く減少させるために、フード付換気装置２１および空気清浄装置２２の両方を動作することを決定する。
【００６９】
これにより、室内空間６の塵埃を短時間で減少させることができる。
【００７０】
また、図５Ｃに示すようにフード付換気装置２１と空気清浄装置２２とがともに停止している時間ｔ０における埃量が埃量閾値Ａ以上かつ埃量閾値Ｂ未満の場合には、動作条件決定部３２は、動作条件として、フード付換気装置２１のみを動作し、空気清浄装置２２を停止することを決定する。これは、図５Ａに示した動作と同一である。さらに、動作条件決定部３２は、時間ｔ０から時間ｔ２までの期間における条件取得部３１が取得した埃量の変動を測定する。動作条件決定部３２は、時間ｔ２において変動が所定の変動閾値Ｘよりも小さい場合には、動作条件として、フード付換気装置２１を動作し、空気清浄装置２２も動作することを決定する。
【００７１】
例えば室外空間７の空気に含まれる埃量が、室内空間６の埃量とほぼ同量の場合には、室外空間７の空気の流入によって室内空間６の埃量は減少しない。あるいは、室内空間６の埃量は緩やかに減少する。このような場合には、フード付換気装置２１の動作のみでは十分に塵埃を排除できないため、動作条件決定部３２はフード付換気装置２１および空気清浄装置２２の両方を動作することを決定する。
【００７２】
上述の決定を、埃量を基準として再度説明する。例えば、フード付換気装置２１は、時間ｔ０において動作している。フード付換気装置２１は、室内空間６内の塵埃を室外空間７へ排出することで埃量を減少させる。時間ｔ０から時間ｔ２までの期間における埃量の変動が時間ｔ２において変動閾値Ｘよりも小さい場合は、更に空気清浄装置２２が時間ｔ２において動作する。フード付換気装置２１が室内空間６の塵埃を室外空間７へ排出するとともに、空気清浄装置２２が室内空間６の塵埃を収集し、空気を清浄する。
【００７３】
なお、動作条件決定部３２は、時間ｔ０から時間ｔ２までの期間における条件取得部３１が取得した埃量の変動を測定し、時間ｔ２において埃量が増加している場合には、フード付換気装置２１を停止して空気清浄装置２２を動作することを決定する。
【００７４】
室外空間７の空気に含まれる埃量が室内空間６の埃量より多い場合には、室外空間７の空気の流入によって室内空間６の埃量が増加し、空気環境が悪化してしまう。このため、動作条件決定部３２は、フード付換気装置２１を停止して空気清浄装置２２を動作することを決定することで、空気環境の悪化を防止し、さらには空気環境の良化に努める。
【００７５】
上記の動作条件決定部３２による処理は、言い換えると、フード付換気装置２１を利用した塵埃の除去処理である。
【００７６】
塵埃の除去処理において、塵埃が多い場合には、フード付換気装置２１が塵埃を室外空間７に排出する。フード付換気装置２１は高い排気能力を有するため、省エネルギーで効率よく塵埃の除去が行われると共に、換気が行われる。さらには、空気清浄装置２２のフィルター寿命が延びる。
【００７７】
そして、フード付換気装置２１が排気を行うと、室内空間６が負圧となる。そのため、ある程度の室外空間７の空気が室内空間６に取り込まれる。言い換えると、室内空間６の塵埃の量が室外空間７の塵埃の量と同一になった場合には、フード付換気装置２１の排気による塵埃の除去が期待できない。このような状態では、空気清浄装置２２が室内空間６での集塵を行うことで、よりきめ細かく塵埃の除去を行うことが可能になる。
【００７８】
また、室内空間６の塵埃の量が多い場合には、フード付換気装置２１および空気清浄装置２２が同時に動作することで、早急に塵埃の除去を行うことができる。
【００７９】
また、フード付換気装置２１のみが塵埃を室外空間７に排出する過程において、室内空間６が負圧となる。そのため、ある程度の室外空間７の空気が室内空間６に取り込まれる。すなわち、室外空間７の空気内の塵埃は、室外空間７の空気とともに室内空間６に取り込まれる。フード付換気装置２１の排気のみによる塵埃の除去効果は低くなり、埃量の減少は小さくなる。このような状態では、空気清浄装置２２が室内空間６での集塵を行うことで、早急に塵埃の除去を行うことができる。
【００８０】
（においセンサからの情報による動作条件の決定）
図６は、動作条件決定部３２がにおいセンサ５から室内空間６のにおい量を取得する場合の動作条件決定についてのフローチャートの一例である。
【００８１】
動作条件決定部３２は、条件取得部３１に格納されている複数の室内環境制御装置２に関するデータを参照する（ステップＳ２１）。ここで複数の室内環境制御装置２に関するデータとは、例えば、複数の室内環境制御装置２として内部ネットワーク８に接続されている各装置の種類、各装置に対する制御、各装置の最大出力、各装置の出力、出力時の消費電力などである。各装置に対する制御とは、例えば、装置のオンオフ、装置の出力量の調整などである。
【００８２】
本実施の形態においては、複数の室内環境制御装置２として、フード付換気装置２１と空気清浄装置２２とが内部ネットワーク８に接続されている。また、本実施の形態においては、フード付換気装置２１は、送風量を調整することができる。ここで送風量とは、単位時間当たりの送風量を示す。
【００８３】
動作条件決定部３２は、条件取得部３１が人検知部３４から取得した人の存在情報を取得する（ステップＳ２２）。
【００８４】
次に、動作条件決定部３２は、条件取得部３１が人検知部３４から取得した人の存在情報に基づいて、人が室内空間６に存在しているか否かを判定する（ステップＳ２３）。人が存在する場合は、ステップＳ２４へ進む。人が存在しない場合は、ステップＳ２２に戻る。
【００８５】
次に、動作条件決定部３２は、条件取得部３１がにおいセンサ５から取得したにおい量を取得する（ステップＳ２４）。
【００８６】
次に、動作条件決定部３２は、フード付換気装置２１の送風量を決定する必要があるかどうかを決める（ステップＳ２５）。フード付換気装置２１の送風量を決定する必要がある場合は、ステップＳ２６に進む。フード付換気装置２１の送風量を決定する必要がない場合は、ステップＳ２７に進む。ここで、フード付換気装置２１の送風量を決定する必要がない場合とは、例えば、フード付換気装置２１はオンオフの制御のみが可能で送風量を調整することができないことがステップ２１で判明した場合などである。
【００８７】
動作条件決定部３２は、におい量に基づいて、フード付換気装置２１の送風量を決定する（ステップＳ２６）。
【００８８】
次に、動作条件決定部３２は、におい量に基づいて、フード付換気装置２１および空気清浄装置２２の動作条件を決定する（ステップＳ２７）。なお、動作条件の決定手順については後述する。
【００８９】
次に、動作条件決定部３２は、ステップＳ２６及びステップ２７で決定された動作条件を制御部３３に出力する（ステップＳ２８）。制御部３３は、動作条件決定部３２が決定した動作条件で、フード付換気装置２１および空気清浄装置２２を制御する。
【００９０】
以上のように、まず、動作条件決定部３２は、条件取得部３１が人検知部３４から取得した人の存在情報に基づいて、人が室内空間６に存在しているか否かを判定する。動作条件決定部３２が人が室内空間６に存在していないと判定した場合には、動作条件決定部３２は特にエネルギーを利用してまでにおいを除去する必要は無いと判断する。他方、動作条件決定部３２が人が室内空間６に存在していると判定した場合には、動作条件決定部３２は積極的ににおいの除去を行うと判断する。
【００９１】
続いて、動作条件決定部３２がフード付換気装置２１および空気清浄装置２２の動作条件を決定する手順について具体的に説明する。
【００９２】
例えば、図７Ａに、フード付換気装置２１と空気清浄装置２２とがともに停止している（ＯＦＦ）時間ｔ０における動作条件決定部３２の動作を示す。
【００９３】
時間ｔ０において、におい量が所定のにおい量閾値Ｃ（第一におい量閾値）以上かつにおい量閾値Ｄ未満の場合には、動作条件決定部３２は、動作条件として、フード付換気装置２１のみを動作し（ＯＮ）、空気清浄装置２２を停止する（ＯＦＦ）ことを決定する。
【００９４】
これにより、フード付換気装置２１は、室内空間６内のにおいを含んだ空気を室外空間７に排出する。通常、室内空間６から室外空間７に空気が排出されると、例えば窓や扉の隙間から、室外空間７の空気が室内空間６に流入する。この際、室外空間７の空気に含まれるにおいも室内空間６に流入してしまう。よって、フード付換気装置２１によるにおいの排除には限界がある。
【００９５】
そこで、次に時間ｔ１において、フード付換気装置２１によるにおいの排出によりにおい量が所定のにおい量閾値Ｃ未満になると、動作条件決定部３２は、動作条件として、フード付換気装置２１を停止し、空気清浄装置２２のみを動作することを決定する。
【００９６】
空気清浄装置２２は、例えば活性炭等のにおいを吸着させる物質を含んだフィルターを備えているため、空気中の多くのにおいを吸着できる。このため、フード付換気装置２１の停止により室外空間７の空気の流入が抑制され、空気清浄装置２２の動作により室内空間６内の塵埃が収集される。これによって、室内空間６のにおい量が減少する。
【００９７】
上述の決定を、におい量を基準として再度説明する。例えば、フード付換気装置２１は、時間ｔ０において動作している。フード付換気装置２１は、室内空間６内のにおいを室外空間７へ排出することでにおい量を減少させる。フード付換気装置２１は、におい量がにおい量閾値Ｃ未満となる時間ｔ１以降において停止する。空気清浄装置２２は、例えば、におい量がにおい量閾値Ｃ未満となる時間ｔ１以降において動作し、室内空間６のにおいを吸着し、空気を脱臭する。
【００９８】
また、例えば、図７Ｂに示すように、フード付換気装置２１と空気清浄装置２２とがともに停止している時間ｔ０におけるにおい量が所定のにおい量閾値Ｄ（第二におい量閾値）以上の場合には、動作条件決定部３２は、動作条件として、フード付換気装置２１を動作し、空気清浄装置２２も動作することを決定する。なお、におい量閾値Ｄはにおい量閾値Ｃよりも大きい値である。
【００９９】
におい量がにおい量閾値Ｄ以上の場合とは、室内空間６に大量のにおいが存在する場合を意味する。このような場合には、動作条件決定部３２は、室内空間６のにおいをできるだけ早く減少させるために、フード付換気装置２１および空気清浄装置２２の両方を動作することを決定する。
【０１００】
これにより、室内空間６のにおいを短時間で減少させることができる。
【０１０１】
また、図７Ｃに示すようにフード付換気装置２１と空気清浄装置２２とがともに停止している時間ｔ０におけるにおい量がにおい量閾値Ｃ以上かつにおい量閾値Ｄ未満の場合には、動作条件決定部３２は、動作条件として、フード付換気装置２１のみを動作し、空気清浄装置２２を停止することを決定する。これは、図７Ａに示した動作と同一である。さらに、動作条件決定部３２は、時間ｔ０から時間ｔ２までの期間における条件取得部３１が取得したにおい量の変動を測定する。動作条件決定部３２は、時間ｔ２において変動が所定の変動閾値Ｙよりも小さい場合には、動作条件として、フード付換気装置２１を動作し、空気清浄装置２２も動作することを決定する。
【０１０２】
例えば室外空間７の空気に含まれるにおい量が、室内空間６のにおい量とほぼ同量の場合には、室外空間７の空気の流入によって室内空間６のにおい量は減少しない。あるいは、室内空間６のにおい量は緩やかに減少する。このような場合には、フード付換気装置２１の動作のみでは十分ににおいを排除できないため、動作条件決定部３２はフード付換気装置２１および空気清浄装置２２の両方を動作することを決定する。
【０１０３】
上述の決定を、におい量を基準として再度説明する。例えば、フード付換気装置２１は、時間ｔ０において動作している。フード付換気装置２１は、室内空間６内のにおいを室外空間７へ排出することでにおい量を減少させる。時間ｔ０から時間ｔ２までの期間におけるにおい量の変動が時間ｔ２において変動閾値Ｙよりも小さい場合は、更に空気清浄装置２２が時間ｔ２において動作する。フード付換気装置２１が室内空間６のにおいを室外空間７へ排出するとともに、空気清浄装置２２が室内空間６のにおいを吸着し、空気を脱臭する。
【０１０４】
なお、動作条件決定部３２は、時間ｔ０から時間ｔ２までの期間における条件取得部３１が取得したにおい量の変動を測定し、時間ｔ２においてにおい量が増加している場合には、フード付換気装置２１を停止して空気清浄装置２２を動作することを決定する。
【０１０５】
室外空間７の空気に含まれるにおい量が、室内空間６のにおい量より多い場合には、室外空間７の空気の流入によって室内空間６のにおい量が増加し、空気環境が悪化してしまう。このため、動作条件決定部３２は、フード付換気装置２１を停止して空気清浄装置２２を動作することを決定することで、空気環境の悪化を防止し、さらには空気環境の良化に努める。
【０１０６】
上記の動作条件決定部３２による処理は、言い換えると、フード付換気装置２１を利用したにおいの除去処理である。
【０１０７】
においの除去処理において、におい量が多い場合には、高い排気風量を有するフード付換気装置２１がにおいを室外空間７に排出する。これにより、省エネルギーで効率よくにおいの除去が行われると共に、換気が行われる。さらには、空気清浄装置２２のフィルター寿命が延びる。
【０１０８】
そして、フード付換気装置２１が排気を行うと、室内空間６が負圧となる。そのため、ある程度の室外空間７の空気が室内空間６に取り込まれる。言い換えると、室内空間６のにおいの元となる物質の量が室外空間７のにおいの元となる物質の量と同一になった場合には、フード付換気装置２１の排気によるにおいの除去が期待できない。このような状態では、空気清浄装置２２が室内空間６での脱臭を行うことで、よりきめ細かくにおいの元となる物質の除去を行うことが可能になる。
【０１０９】
また、室内空間６のにおい量が多い場合には、フード付換気装置２１および空気清浄装置２２が同時に動作することで、早急ににおいの元となる物質の除去を行うことができる。
【０１１０】
また、フード付換気装置２１のみがにおいを室外空間７に排出する過程において、室内空間６が負圧となる。そのため、ある程度の室外空間７の空気が室内空間６に取り込まれる。すなわち、室外空間７の空気内のにおいは、室外空間７の空気とともににおいの元となる物質も室内空間６に取り込まれる。フード付換気装置２１の排気のみによるにおいの除去効果が低くなり、におい量の減少は小さくなる。このような状態では、空気清浄装置２２が室内空間６での脱臭を行うことで、早急ににおいの元となる物質の除去を行うことができる。
【０１１１】
（変形例１）
次に、本発明の変形例１に係る機器管理システム１Ａの構成について図８を用いて説明する。なお、以下の説明では、機器管理システム１Ａの構成において、上記実施の形態における機器管理システム１と異なる点を主に説明する。なお、その他の点については、機器管理システム１と同様である。
【０１１２】
具体的には、機器管理システム１Ａは、複数の室内環境制御装置２として、フード付換気装置２１と空気清浄装置２２と換気シャッター２３とを備える。すなわち、複数の室内環境制御装置２のうちの少なくとも１つの室内環境制御装置は、換気シャッター２３である。さらに、制御端末３は、換気シャッター２３を制御する。
【０１１３】
［換気シャッター］
換気シャッター２３は、図９Ａおよび図９Ｂに示すように、例えば壁に貫通孔として設けられた風路２３１（連通風路）と、シャッター２３２（開閉部）と、ソレノイド２３３とを有している。風路２３１は、室内空間６と室外空間７とを連通している。シャッター２３２は、風路２３１を開状態（図９Ａ参照）、又は、閉状態（図９Ｂ参照）に変更できる。すなわち、シャッター２３２は、風路２３１を開閉可能である。ソレノイド２３３は、シャッター２３２を開閉駆動する。シャッター２３２は、ソレノイド２３３と接続されている。ソレノイド２３３の電気的駆動（ここでは上下移動）に連動して、シャッター２３２の開閉が行われる。換気シャッター２３は、図示しない通信部を備えている。制御端末３は、換気シャッター２３と情報の送受信可能に接続されている。ここで、送受信される情報は、開閉の命令である開閉命令、および、開状態または閉状態を示す開閉情報を含む。
【０１１４】
換気シャッター２３は、複数の室内環境制御装置２の１つとして、制御端末３の制御部３３によって開状態もしくは閉状態となるように制御される。
【０１１５】
［動作条件決定部における動作条件の決定］
動作条件決定部３２の動作条件決定における具体的な動作を図１０〜図１１を用いて説明する。
【０１１６】
（埃センサからの情報による動作条件の決定）
図１０に示すように、動作条件決定部３２は、埃量に基づいて、換気シャッター２３の動作条件として、シャッター２３２を開けること、または、シャッター２３２を閉じることを決定する。なお、動作条件決定部３２は、換気シャッター２３の風路２３１が開状態である場合、所定の期間における条件取得部３１が取得した埃量の変動を測定する。測定された変動が増加である場合には、条件取得部３１は、換気シャッター２３の動作条件として、シャッター２３２を閉じることを決定する。
【０１１７】
具体的には、図１０に示すように、換気シャッター２３が閉状態である時間ｔ０まではフード付換気装置２１と空気清浄装置２２とがともに停止している。時間ｔ０における埃量が埃量閾値Ａ以上かつ埃量閾値Ｂ未満の場合には、動作条件決定部３２は、動作条件として、フード付換気装置２１を動作し、空気清浄装置２２を停止し、シャッター２３２を開けることを決定する。次に、動作条件決定部３２は時間ｔ０から時間ｔ２までの期間における条件取得部３１が取得した埃量の変動を測定し、時間ｔ２において変動が増加である場合には、動作条件として、フード付換気装置２１を動作し、空気清浄装置２２を動作し、シャッター２３２を閉じることを決定する。すなわち、動作条件決定部３２は、時間ｔ２において変動が増加である場合には、換気シャッター２３の動作条件として、シャッター２３２を閉じることを決定する。制御部３３は、換気シャッター２３の動作条件で換気シャッター２３を制御する。
【０１１８】
上述の決定を、埃量を基準として再度説明する。例えば、時間ｔ０において、フード付換気装置２１は動作しており、換気シャッター２３の風路２３１は開状態である。フード付換気装置２１は、室内空間６内の塵埃を室外空間７へ排出するとともに、換気シャッター２３を介して、室外空間７の空気を室内空間６に取り込む。動作条件決定部３２は、時間ｔ０から時間ｔ２間の期間における埃量の変動が時間ｔ２において増加である場合には、換気シャッター２３の動作条件として、時間ｔ２においてシャッター２３２を閉じることを決定する。これにより、室内空間６への室外空間７の空気の取り込みを減少させる。更に空気清浄装置２２が時間ｔ２において動作する。すなわち、フード付換気装置２１は室内空間６の塵埃を室外空間７へ排出し、空気清浄装置２２は塵埃を収集し、空気を清浄する。
【０１１９】
以上のように、制御部３３は、動作条件決定部３２が決定した動作条件で、フード付換気装置２１と空気清浄装置２２との動作または停止の制御を行う。また、制御部３３は、動作条件決定部３２が決定した動作条件で、換気シャッター２３の開または閉の制御を行う。
【０１２０】
このような構成により、換気を促進させたい場合には、フード付換気装置２１が動作するとともに換気シャッター２３の風路２３１が開状態になる。そのため、室内空間６の通気性が向上する。一方、室外空間７の空気内の埃量が多く、室内空間６の埃量が増加する場合には、換気シャッター２３の風路２３１が閉状態になる。そして、空気清浄装置２２が室内空間６の集塵を行うことで、室内空間６の埃量の増加が抑制され、塵埃の除去が早急に行われる。
【０１２１】
（においセンサからの情報による動作条件の決定）
図１１に示すように、動作条件決定部３２は、におい量に基づいて、換気シャッター２３のシャッター２３２を開けること、または、シャッター２３２を閉じることを決定する。なお、動作条件決定部３２は、換気シャッター２３の風路２３１が開状態である場合、所定の期間における条件取得部３１が取得したにおい量の変動を測定する。変動が増加である場合には、動作条件決定部３２は、換気シャッター２３の動作条件として、シャッター２３２を閉じることを決定する。
【０１２２】
具体的には、図１１に示すように、換気シャッター２３が閉状態である時間ｔ０まではフード付換気装置２１と空気清浄装置２２とがともに停止している。時間ｔ０におけるにおい量がにおい量閾値Ｃ以上かつにおい量閾値Ｄ未満の場合には、動作条件決定部３２は、動作条件として、フード付換気装置２１を動作し、空気清浄装置２２を停止し、シャッター２３２を開けることを決定する。次に、動作条件決定部３２は時間ｔ０から時間ｔ２までの期間における条件取得部３１が取得したにおい量の変動を測定し、時間ｔ２において変動が増加である場合には、動作条件として、フード付換気装置２１を動作し、空気清浄装置２２を動作し、シャッター２３２を閉じることを決定する。
【０１２３】
上述の決定を、におい量を基準として再度説明する。例えば、時間ｔ０において、フード付換気装置２１は動作しており、換気シャッター２３の風路２３１は開状態である。フード付換気装置２１は、室内空間６内のにおいを室外空間７へ排出するとともに、換気シャッター２３を介して、室外空間７の空気を室内空間６に取り込む。動作条件決定部３２は、時間ｔ０から時間ｔ２間の期間におけるにおい量の変動が時間ｔ２において増加である場合には、換気シャッター２３の動作条件として、時間ｔ２においてシャッター２３２を閉じることを決定する。これにより、室内空間６への室外空間７の空気の取り込みを減少させる。更に空気清浄装置２２が時間ｔ２において動作する。すなわち、フード付換気装置２１は室内空間６のにおいを室外空間７へ排出し、空気清浄装置２２は脱臭し、空気を清浄する。
【０１２４】
以上のように、制御部３３は、動作条件決定部３２が決定した動作条件で、フード付換気装置２１と空気清浄装置２２との動作または停止の制御を行う。また、制御部３３は、動作条件決定部３２が決定した動作条件で、換気シャッター２３の開または閉の制御を行う。
【０１２５】
このような構成により、換気を促進させたい場合には、フード付換気装置２１が動作するとともに換気シャッター２３の風路２３１が開状態になる。そのため、室内空間６の通気性が向上する。一方、室外空間７の空気ににおいの元となる物質が多く、室内空間６のにおい量が増加する場合には、換気シャッター２３の風路２３１が閉状態になる。そして、空気清浄装置２２が室内空間６の脱臭を行うことで、室内空間６のにおい量の増加が抑制され、においの元となる物質の除去が早急に行われる。
【０１２６】
（変形例２）
次に、本発明の変形例２に係る機器管理システム１の構成について説明する。なお、以下の説明では、変形例２に係る機器管理システム１の動作において、上記実施の形態における機器管理システム１と異なる点を主に説明する。なお、その他の点については、実施の形態における機器管理システム１と同様である。
【０１２７】
具体的には、動作条件決定部３２は、条件取得部３１から帰宅時間とその他の必要な情報とを取得する。動作条件決定部３２は、それらの情報からフード付換気装置２１を動作させるべき運転開始時間を算出する。
【０１２８】
［条件取得部］
条件取得部３１は、例えば、室内空間６における人の存在情報、フード付換気装置２１の最大排気量、室内空間６の埃量、室内空間６のにおい量、室内空間６の広さ、室内空間６の気密性、および帰宅時間の情報を格納することができる。ここで、帰宅時間とは、人が室内空間６に存在すると予想される時間である。
【０１２９】
条件取得部３１は、人検知部３４から室内空間６における人の存在情報を取得する。
【０１３０】
フード付換気装置２１の最大排気量は、例えば、機器管理システム１が設置された際の初期設定として表示パネルなどを介して条件取得部３１に登録されたり、工場出荷時に条件取得部３１に設定されたりする。また条件取得部３１は、フード付換気装置２１に内部ネットワーク８を介して通信で問合せを行うことにより、フード付換気装置２１の最大排気量を取得しても良い。
【０１３１】
室内空間６の埃量は、埃センサ４で測定される。条件取得部３１が、埃センサ４から室内空間６の埃量を取得する。
【０１３２】
室内空間６のにおい量は、においセンサ５で測定される。条件取得部３１が、においセンサ５から室内空間６のにおい量を取得する。
【０１３３】
室内空間６の広さ及び室内空間６の気密性は、例えば、機器管理システム１が設置された際の初期設定として表示パネルを介して条件取得部３１に登録される。
【０１３４】
室内空間６の気密性として、例えば、室内空間６の隙間相当面積であるＣ値が、表示パネルを介して条件取得部３１に入力される。また、室内空間６が設けられている建物の工法と建築年とが条件取得部３１に入力され、これらに基づいて条件取得部３１がＣ値を推定しても良い。
【０１３５】
条件取得部３１は、例えば、制御端末３に設けられた入力装置に設定された帰宅時間を取得する。また、例えば、条件取得部３１は、内部ネットワーク８を介して表示パネルと接続し、表示パネルから帰宅時間を取得してもよい。また、例えば、条件取得部３１は、無線通信等を介してタブレット端末や携帯電話端末と接続し、タブレット端末や携帯電話端末から帰宅時間を取得してもよい。なお、帰宅時間を設定する方法としては、例えば、帰宅までの時間をタイマー設定する方法や、帰宅する時間を設定する方法や、カレンダー機能などにより予め帰宅時間を設定する方法などがある。
【０１３６】
なお、条件取得部３１に格納される情報のうちフード付換気装置２１の最大排気量と室内空間６の広さについては、少なくともいずれか１つの情報が条件取得部３１に格納されていればよい。これらのうちいずれか１つの情報と、室内空間６の埃量、室内空間６のにおい量、および帰宅時間のいずれかの情報とがあれば、フード付換気装置２１を動作させるべき運転開始時間を算出することができる。また、フード付換気装置２１の最大排気量、室内空間６の広さ及び室内空間６の気密性について、より多くの情報が格納されていると、フード付換気装置２１を動作させるべき運転開始時間をより正確に算出することが可能となる。
【０１３７】
［運転開始時間の算出と制御］
動作条件決定部３２は、例えば、条件取得部３１から、室内空間６における人の存在情報、フード付換気装置２１の最大排気量、室内空間６の埃量、室内空間６のにおい量、室内空間６の広さ、気密性、および帰宅時間に関する情報を取得する。
【０１３８】
動作条件決定部３２は、条件取得部３１から取得された情報に基づいてフード付換気装置２１を動作させるべき運転開始時間を算出する。算出のプロセスを図１２に示す。
【０１３９】
図１２に示すように、条件取得部３１が、室内空間６における人の存在情報、室内空間６の広さ、フード付換気装置２１の最大排気量、室内空間６の埃量、室内空間６のにおい量、気密性、および帰宅時間に関する情報を取得する（ステップＳ３１）。
【０１４０】
動作条件決定部３２は、条件取得部３１が取得した情報に基づいて、以下の手順で運転開始時間を算出する。
【０１４１】
すなわち、動作条件決定部３２は、室内空間６における人の存在情報に基づいて人が室内空間６に存在しているか否かを判定する（ステップＳ３２）。人が存在しない場合は、ステップＳ３３へ進む。人が存在する場合は、ステップＳ３１に戻る。また、人が存在する場合には、図４に示すステップＳ１４に進んでもよい。
【０１４２】
次に、動作条件決定部３２は、フード付換気装置２１の最大排気量と室内空間６の広さとに基づいて、室内空間６の空気をすべて入れ替えるのに必要な時間を算出する（ステップＳ３３）。
【０１４３】
次に、動作条件決定部３２は、気密性に基づいて、ステップＳ３３で算出された時間を補正する。気密性が高い場合には、フード付換気装置２１による排気に対して室内空間６への給気が少ない為、予想される換気量が得られない場合がある。このような場合には、ステップＳ３３で算出された時間に対して、さらに気密性を考慮した時間をプラスすることで、運転開始時間をより正確に算出することが可能となる。
【０１４４】
よって動作条件決定部３２は、上述の補正を行うために、気密性の情報にも基づいて給気量の減少分を算出する（ステップＳ３４）。
【０１４５】
動作条件決定部３２は、算出された給気量の減少分に基づいて、ステップＳ３３にて算出された時間に気密性による延長時間分をプラスする（ステップＳ３５）。
【０１４６】
以上により、フード付換気装置２１が室内空間６を清浄するための時間の算出が完了する。当然ながら室内空間６の埃量およびにおい量が高い場合には室内空間６の空気を一度入れ替えただけでは、室内空間６を清浄できない。よってこのような場合には、室内空間６の空気を複数回入れ替えることができるだけの時間を確保する。
【０１４７】
なお、理想としては、フード付換気装置２１による換気で室内空間６を清浄することが省エネルギー化の観点で望ましい。しかし、フード付換気装置２１には空気中の塵埃の集塵やにおいを脱臭する機能がない。このため、フード付換気装置２１が室内空間６の塵埃やにおいを排出した後、空気清浄装置２２が残っている塵埃やにおいを清浄する。
【０１４８】
空気清浄装置２２が残っている塵埃やにおいを清浄するために、動作条件決定部３２は、フード付換気装置２１の最大排気量に代えて空気清浄装置２２の集塵能力と脱臭能力を条件取得部３１から取得する。集塵能力と脱臭能力と室内空間の広さとが揃うと、室内空間６を清浄するための時間の算出が可能となる（ステップＳ３６）。
【０１４９】
フード付換気装置２１と空気清浄装置２２との動作時間を合算することで運転時間が算出される。そのため、動作条件決定部３２は、機器管理システム１が動作を開始すべき時間を算出できる。
【０１５０】
例えば、現在の時間が１２：００で、帰宅時間が１８：００である場合、機器管理システム１は、６時間以内に室内空間６を清浄すればよい。
【０１５１】
動作条件決定部３２は、運転時間が３時間と算出された場合は、帰宅前の運転開始時間を１５：００と決定する（ステップＳ３７）。すなわち、動作条件決定部３２は、帰宅時間と現在の時間とに基づいてフード付換気装置２１および空気清浄装置２２の動作条件として、運転開始時間を決定する。ただし、室内空間６の埃量及びにおい量は時々刻々と変わるので、動作条件決定部３２は運転開始時間までに複数回、上記処理を繰り返すことが好ましい。これにより埃量及びにおい量の変化に対応可能となる。
【０１５２】
制御部３３は、運転開始時間後に（ステップＳ３８のＹｅｓ）、動作条件決定部３２が決定した動作条件（出力や運転開始時間など）で複数の室内環境制御装置２の制御を開始する（ステップＳ３９）。運転開始時間前の場合は、ステップＳ３１に戻る。
【０１５３】
（変形例３）
次に、本発明の変形例３に係る機器管理システム１Ｂの構成について図１３を用いて説明する。なお、以下の説明では、機器管理システム１Ｂの構成において、上記実施の形態における機器管理システム１と異なる点を主に説明する。なお、その他の点については、機器管理システム１と同様である。
【０１５４】
具体的には、図１３に示すように、制御端末３は、公衆回線を介して移動通信機９と通信可能な外部通信部３５を有している。制御端末３は、外部通信部３５からの情報に基づいて複数の室内環境制御装置２の動作条件を決定する。
【０１５５】
［移動通信機と外部通信部］
移動通信機９は、本変形例において、ユーザが移動通信機９を所持して移動することにより、少なくとも室外空間７で移動することができる。移動通信機９は、室外空間７においても外部ネットワーク、すなわちインターネット９１を介して情報を送受信することが可能な通信機器である。具体的には、例えば、移動通信機９としては、携帯電話、カーナビゲーション装置又はＧＰＳ発信機が挙げられる。ＧＰＳ発信機とは、ＧＰＳ衛星からの信号などを受信して、自機の現在地を特定し、外部ネットワークを介して他の端末に自機の現在地情報を送信する機器を意味する。ＧＰＳ発信機は、例えば第三者による子供や車の位置特定に利用される。
【０１５６】
移動通信機９は、例えば、無線通信によってインターネット９１に接続することができる。また、移動通信機９は、ＧＰＳ機能や無線通信で用いる基地局情報の取得によって移動通信機９のその時点における位置情報を取得できる。すなわち、移動通信機９は、現在地情報を取得できる位置情報取得機能を有している。
【０１５７】
外部通信部３５は、インターネット９１と接続されている。外部通信部３５は、インターネット９１を介して、インターネット９１に接続された移動通信機９と通信することが可能である。外部通信部３５は、移動通信機９との通信によって移動通信機９から情報を取得する。外部通信部３５は、取得された情報のうち、複数の室内環境制御装置２の動作条件に関連する情報や現在地情報を条件取得部３１に送信する。
【０１５８】
［位置情報検出と室内環境制御装置の動作決定］
条件取得部３１は、制御端末３の位置情報を記憶している。制御端末３の位置情報は、例えば、制御端末３が設置される際に、外部の入力端末や表示パネルを介して条件取得部３１に入力される。また、制御端末３は、移動通信機９と同様の位置情報取得機能を有してもよい。すなわち、制御端末３は、位置情報取得機能から位置情報を取得してもよい。条件取得部３１は、位置情報として、制御端末３の位置する場所の緯度経度、あるいは特定の場所を示す位置情報（コード等）をあらかじめ記憶してもよい。また、制御端末３は、位置情報として、制御端末３の住所や郵便番号などを取得してもよい。
【０１５９】
（移動通信機の位置情報を用いた制御端末による動作開始時間決定の一例）
動作条件決定部３２が移動通信機９の位置情報に基づいて動作条件の１つである動作開始時間を決定するためのフローチャートの例について、図１４を用いて説明する。
【０１６０】
動作条件決定部３２は、条件取得部３１に記憶されている制御端末３の位置情報を取得する（ステップＳ４１）。次に、動作条件決定部３２は、条件取得部３１が人検知部３４から取得した人の存在情報に基づいて人が室内空間６に存在しているか否かを判定する（ステップＳ４２）。人が存在しない場合は、ステップＳ４３へ進む。人が存在する場合は、ステップＳ４１に戻る。また、人が存在する場合には、図４に示すステップＳ１４に進んでもよい。なお、人検知部３４は、例えば、条件取得部３１に記憶されている制御端末３の位置情報と条件取得部３１を介して移動通信機９から現在地情報とを取得する。そして、人検知部３４は、制御端末３の位置情報と移動通信機９の現在地情報とに基づいて人の存在情報を条件取得部３１に出力してもよい。
【０１６１】
次に、動作条件決定部３２は、条件取得部３１を介して移動通信機９から、移動通信機９の時間情報および現在地情報を所定の間隔で複数回取得する（ステップＳ４３）。
【０１６２】
動作条件決定部３２は、制御端末３の位置情報と移動通信機９の現在地情報とに基づいて、制御端末３と移動通信機９との距離を算出する（ステップＳ４４）。動作条件決定部３２は、ステップＳ４３で取得された複数の時間情報と現在地情報とに基づいて、移動通信機９の移動速度を算出する（ステップＳ４５）。動作条件決定部３２は、ステップＳ４５で算出された移動速度と、ステップＳ４４で算出された距離とに基づいて、移動通信機９が制御端末３の位置に到達する予想時間を算出する（ステップＳ４６）。動作条件決定部３２は、ステップＳ４６で算出された予想時間を、帰宅時間として設定する。すなわち、動作条件決定部３２は、制御端末３の位置情報と現在地情報とに基づいて移動通信機９が制御端末３の位置に到達する帰宅時間を算出する。動作条件決定部３２は、設定された帰宅時間に基づいて複数の室内環境制御装置２が動作する運転開始時間を決定する。すなわち、動作条件決定部３２は、帰宅時間と現在の時間に基づいてフード付換気装置２１および空気清浄装置２２の動作条件として、運転開始時間を決定する。なお、このとき、動作条件決定部３２は、運転開始時間において、どの装置を動作するのかについても決定することができる（ステップＳ４７）。動作条件決定部３２は、例えば、運転開始時間において、フード付換気装置２１のみを動作することを決定してもよいし、空気清浄装置２２のみを動作することを決定してもよい。動作条件決定部３２は、ステップＳ４７で決定された運転開始時間を含めた複数の室内環境制御装置２の動作条件を制御部３３に出力する（ステップＳ４８）。
【０１６３】
このような構成により、移動通信機９を所持するユーザが室内空間６に戻る時間までに、室内空間６の空気環境を整えることができる。
【０１６４】
（その他）
以上、本発明に係る機器管理システムについて、実施の形態及び変形例に基づいて説明したが、本発明は、上記実施の形態及び変形例に限定されるものではない。
【０１６５】
また、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【０１６６】
例えば、上述の室内空間の空気環境を清浄するための制御として、埃量に応じた清浄動作と、におい量に応じた清浄動作について説明を行った。同様に、埃量とにおい量の組み合わせに応じた清浄動作についても本明細書の開示に含まれる。
【産業上の利用可能性】
【０１６７】
本発明に係る機器管理システムは、室内空間の空気環境を整える機器管理システムとして有用である。
【符号の説明】
【０１６８】
１，１Ａ，１Ｂ  機器管理システム
２  複数の室内環境制御装置
２１  フード付換気装置（換気装置）
２１０  排気ファン
２１１  フード部
２１２  室外吐出口
２１３  室内吸込口
２１５  排気シャッター
２２  空気清浄装置
２３  換気シャッター
２３１  風路（連通風路）
２３２  シャッター（開閉部）
３  制御端末
３１  条件取得部
３２  動作条件決定部
３３  制御部
３４  人検知部
３５  外部通信部
４  埃センサ
５  においセンサ
６  室内空間
７  室外空間
９  移動通信機
９１  インターネット
【図１】
2017179362.tif 000003
【図２】
2017179362.tif 000004
【図３】
2017179362.tif 000005
【図４】
2017179362.tif 000006
【図５Ａ】
2017179362.tif 000007
【図５Ｂ】
2017179362.tif 000008
【図５Ｃ】
2017179362.tif 000009
【図６】
2017179362.tif 000010
【図７Ａ】
2017179362.tif 000011
【図７Ｂ】
2017179362.tif 000012
【図７Ｃ】
2017179362.tif 000013
【図８】
2017179362.tif 000014
【図９Ａ】
2017179362.tif 000015
【図９Ｂ】
2017179362.tif 000016
【図１０】
2017179362.tif 000017
【図１１】
2017179362.tif 000018
【図１２】
2017179362.tif 000019
【図１３】
2017179362.tif 000020
【図１４】
2017179362.tif 000021
【国際調査報告】
2017179362.tif 000022
2017179362.tif 000023
2017179362.tif 000024
2017179362.tif 000025